(57)【要約】      （修正有）【課題】調乳を非常時においても誰もが衛生的に行える調乳用加熱キットを提供する。【解決手段】備蓄用保存水入りペットボトルの注ぎ口部がその上面１３の通孔１４から突出する高さの縦長直方体形状とすることができる加熱用外箱１２と、加熱用外箱１２に収容した際に通孔１４から注ぎ口部とともにその開口縁部２３が突出される耐熱加熱袋２２と、耐熱加熱袋２２の内底面上に発熱剤３４の配置が可能な外装入り発熱剤３２とで構成される。加熱用外箱１２の一側面１５には、発熱剤用添加水量目盛部１６ａと調乳用湯量目盛部１６ｂとからなる備蓄用コップのための計量用目盛１６が付され、これらの目盛部１６ａ，１６ｂから把握される発熱剤加熱用添加水量と調乳用湯量とにより備蓄用コップ内の調整粉乳を７０℃を上回る温度の保存水で飲用ミルクとする。【選択図】図１
0003190022.tif 000002
【実用新案登録請求の範囲】
【請求項１】
標準サイズの備蓄用保存水入りペットボトルを収容した際の該ペットボトルの注ぎ口部がその上面の中央部に設けられる通孔から突出し得る高さのもとで縦長直方体形状とする組立てが可能に形成された加熱用外箱と、
前記備蓄用保存水入りペットボトルを収容して加熱用外箱の前記通孔から前記注ぎ口部とともに突出可能に形成された耐熱加熱袋と、
前記耐熱加熱袋の内底面上に外装なしの発熱剤としての配置を可能に形成された外装入り発熱剤とで少なくとも構成され、
前記加熱用外箱の周側４面における一側面の一側寄り部位には、その下底面位置を基準として順にレベルが高くなる少なくとも発熱剤用添加水量目盛部と調乳用湯量目盛部とからなる備蓄用コップのための計量用目盛が付され、
前記発熱剤用添加水量目盛部と前記調乳用湯量目盛部とを介して把握される発熱剤用添加水量と調乳用湯量とに基づき前記備蓄用コップ内に入れた乳幼児用の調整粉乳に７０℃を上回る温度に加熱された備蓄用保存水を入れて飲用ミルクへとその調整を可能としたことを特徴とする調乳用加熱キット。
【請求項２】
前記計量用目盛には、調整後の飲用ミルクの温度を適温まで人為的に低下させるのに必要な常温備蓄用保存水の追加量を示す仕上ライン量目盛部を含む請求項１に記載の調乳用加熱キット。
【請求項３】
前記加熱用外箱の前記一側面の他側寄り部位には、前記保存水入りペットボトルにおける前記備蓄用保存水の残量を教示すべく、その下底面レベルを基準として残量の程度の把握が可能な残量目印を各別に付した請求項１または２に記載の調乳用加熱キット。
【請求項４】
前記通孔には、前記一側面方向へと偏倚させた舌状突出部を連設した請求項１ないし３のいずれかに記載の調乳用加熱キット。
【請求項５】
前記加熱用外箱と前記耐熱加熱袋と前記外装入り発熱剤とのほか、目盛り付き容器もその構成部材に含まれる請求項１ないし４のいずれかに記載の調乳用加熱キット。
【考案の詳細な説明】
【技術分野】
【０００１】
本考案は、調乳用加熱キットに係り、さらに詳しくは震災等の自然災害を含む非常時に乳幼児の飲用に供されるミルクを適温に調整して安全に提供できるようにするための調乳用加熱キットに関する技術である。
【背景技術】
【０００２】
東日本大震災などのような激甚な自然災害を含む各種の非常事態発生時には、ライフラインが寸断されて水道、電気、ガスの供給が停止して日常生活に支障を来すに至る。
【０００３】
このような非常時における対策としては、従来より長期に亘って保存・備蓄ができる各種の非常時用飲食物の開発が行われてきており、該非常時用飲食物のなかには長期保存できるように調整された備蓄用保存水入りペットボトルもある。
【０００４】
また、上記備蓄用保存水を含む飲料水については、特に冬季の被災者に対し温かい温湯として提供する際に用いることを主たる目的と開発されたものとして、以下に例示する各特許文献に開示されている簡易加熱具がある。
【先行技術文献】
【特許文献】
【０００５】
【特許文献１】実用新案登録第３１１６１２８号公報
【特許文献２】実用新案登録第３１１８２８９号公報
【特許文献３】実用新案登録第３１３２０２９号公報
【特許文献４】特開２００７−１１１１７４号公報
【考案の概要】
【考案が解決しようとする課題】
【０００６】
しかし、上記各特許文献に開示されている簡易加熱具は、いずれも汎用性のある単なる温湯として提供できるようにすることに主眼があり、非常時に乳幼児という弱者の生存に欠かせない飲用ミルクを衛生上の安全性を確保しながら適温に調整して提供するという特化された視点に立脚して開発されたものではなかった。
【０００７】
特に、近年、ＷＨＯ（世界保健機関）とＦＡＯ（国連食糧農業機関）とは、乳児（１２ヶ月齢以下）の微生物による食中毒等のリスクを最小限に抑えるために、「乳児用調整粉乳の安全な調乳、保存及び取り扱いに関するガイドライン」を作成して公表しており、ここでは、調乳に関して従来の４０〜５０℃から７０℃以上のお湯で２分間調乳することが推奨されている。
【０００８】
しかし、上記各特許文献を含む従来技術には、非常時においても上記ガイドラインに沿った乳児用の調整粉乳の安全な調乳を誰もが簡単に行うことができるように工夫された調乳用加熱キットに関する関連技術の提案はなかった。
【０００９】
本考案は、従来技術の上記課題に鑑み、上記ガイドラインに沿った乳幼児に対する安全な調乳を非常時においても誰もが簡単に行うことができるようにその用途を特化した調乳用加熱キットを提供することを目的とする。
【課題を解決するための手段】
【００１０】
本考案は、上記目的を達成すべくなされたものであり、標準サイズの備蓄用保存水入りペットボトルを収容した際の該ペットボトルの注ぎ口部がその上面の中央部に設けられる通孔から突出し得る高さのもとで縦長直方体形状とする組立てが可能に形成された加熱用外箱と、前記備蓄用保存水入りペットボトルを収容して加熱用外箱の前記通孔から前記注ぎ口部とともに突出可能に形成された耐熱加熱袋と、前記耐熱加熱袋の内底面上に外装なしの発熱剤としての配置を可能に形成された外装入り発熱剤とで少なくとも構成され、前記加熱用外箱の周側４面における一側面の一側寄り部位には、その下底面位置を基準として順にレベルが高くなる少なくとも発熱剤用添加水量目盛部と調乳用湯量目盛部とからなる備蓄用コップのための計量用目盛が付され、前記発熱剤用添加水量目盛部と前記調乳用湯量目盛部とを介して把握される発熱剤用添加水量と調乳用湯量とに基づき前記備蓄用コップ内に入れた乳幼児用の調整粉乳に７０℃を上回る温度に加熱された備蓄用保存水を入れて飲用ミルクへとその調整を可能としたことを最も主要な特徴とする。
【００１１】
この場合、前記計量用目盛には、調整後の飲用ミルクの温度を適温まで人為的に低下させるのに必要な常温備蓄用保存水の追加量を示す仕上ライン量目盛部を含む含むものであってもよい。
【００１２】
また、前記加熱用外箱の前記一側面の他側寄り部位には、前記備蓄用保存水入りペットボトルにおける前記備蓄用保存水の残量を教示すべく、その下底面レベルを基準として残量の程度の把握が可能な残量目印を各別に付しておくこともできる。さらに、前記通孔には、前記一側面方向へと偏倚させた舌状突出部を連設しておくこともできる。また、前記加熱用外箱と前記耐熱加熱袋と前記外装入り発熱剤とに加えて目盛り付き容器をその構成部材に含むものであってもよい。
【考案の効果】
【００１３】
請求項１に係る考案によれば、調乳用加熱キットの全体は、その不使用時に平板状のコンパクト化された形態としておくことができるので、持ち運ぶ際や備蓄する際の省スペース化を実現することができる。しかも、加熱用外箱の一側面の一側寄り部位には、少なくとも発熱剤用添加水量目盛部と調乳用湯量目盛部とからなる備蓄用コップのための計量用目盛が付されているので、これらの発熱剤用添加水量目盛部と調乳用湯量目盛部とを介して把握される発熱剤用添加水量と調乳用湯量とに基づいて、備蓄用保存水入りペットボトル内の備蓄用保存水を７０℃を上回る温度となるように加熱した上でその適量を備蓄用コップ内に入れて別途用意される乳幼児用の調整粉乳を溶かし込むことができる。
【００１４】
このため、乳児（１２ヶ月齢以下）の微生物による食中毒等のリスクを最小限に抑えべくＷＨＯ（世界保健機関）とＦＡＯ（国連食糧農業機関）とが定めた「乳児用調整粉乳の安全な調乳、保存及び取り扱いに関するガイドライン」に沿った調乳は、非常時においてもこれを満たしながら衛生上安全な乳幼児用の飲用ミルクとして誰もが簡単に行うことができる。
【００１５】
請求項２に係る考案によれば、計量用目盛には、調整後の飲用ミルクの温度を適温まで人為的に低下させるのに必要な常温備蓄用保存水の追加量を示す仕上ライン量目盛部も含まれているので、該仕上ライン量目盛部を介して適量の常温備蓄用保存水を計量して加えることで、調乳後の飲用ミルクを飲用に適する温度にまで下げて乳幼児に飲用させることができる。
【００１６】
請求項３に係る考案によれば、加熱用外箱には、備蓄用保存水入りペットボトルにおける備蓄用保存水の残量を示す残量目印が付されているので、常に蓄用保存水入りペットボトル内の備蓄用保存水の残量を適宜把握しながら、次ぎの必要場面に安心して備えることができる。
【００１７】
請求項４に係る考案によれば、通孔には、一側面方向へと偏倚させた舌状突出部が連設されているので、該舌状突出部を施蓋する際の逃げスペースとして利用することにより加熱用外箱内の備蓄用保存水入りペットボトルにおけるペットボトルの注ぎ口部側を耐熱加熱袋の開口縁部ともども円滑に突出させることができる。
【００１８】
請求項５に係る考案によれば、その構成部材に目盛り付き容器も含まれているので、該目盛り付き容器を用いて必要な計量をより簡単に行うこともできる。
【図面の簡単な説明】
【００１９】
【図１】本考案の構成例を示す説明図。
【図２】本考案を組み立ててセット化した際の状態例を示す斜視図。
【図３】本考案の実施に際して用いられる補助用品の具体的な構成例を示す説明図。
【図４】本考案の使用手順例を（１）〜（１５）として示す説明図。
【図５】耐熱加熱袋の内底面に対する発熱剤と備蓄用保存水入りペットボトルとの配置関係を示す平面視説明図。
【考案を実施するための形態】
【００２０】
図１は、本考案の構成例を示す説明図であり、図２を参酌しながら以下に説明する。すなわち、調乳用加熱キット１１の全体は、適宜の略平面形状に折り畳まれた状態で用意される例えば１個の加熱用外箱１２と、これも適宜折り畳まれた状態で用意される例えば２枚の耐熱加熱袋２２と、外装３３内に発熱剤３４を封入してなる例えば４個の外装入り発熱剤３２とを、図示しない適宜の収納袋内に収容したキットとして構成されている。なお、本考案の実施に際しては、いずれも避難施設等で容易に手に入る例えば図３に示されているように紙などで形成された第１の備蓄用コップ４１と第２の備蓄用コップ４２とのほか、標準サイズの備蓄用保存水入りペットボトル５１や適宜の調整粉乳６１やマドラー７１などが補助用品として用いられる。
【００２１】
これらのうち、加熱用外箱１２は、適宜厚さの段ボール材からなり、これを折り畳まれた状態から組み立て終わった際に、例えば縦８ｃｍ×横８ｃｍ×高さ１９．５ｃｍの縦長直方体形状を呈し得る適宜の構造を備えて形成されている。
【００２２】
しかも、組立て後の加熱用外箱１２において上蓋として機能させる上面１３の中央部には、標準サイズの備蓄用保存水入りペットボトル５１（例えば５００ｍｌの備蓄用保存水５２を高さ２１ｃｍのペットボトル５３内に封入したもの）を加熱用外箱１２内に収容した際に、該ペットボトル５３の注ぎ口部５４側を突出させることができる通孔１４を備えている。
【００２３】
この場合、通孔１４は、その内径がペットボトル５３の蓋５５の外径を上回る４ｃｍ前後の真円形状に形成することができるほか、図示例のように真円部１４ａと、該真円部１４ａから一側面（正面）１５寄りに偏倚させて連設された舌状突出部１４ｂとで形成することにより、加熱用外箱１２内に備蓄用保存水入りペットボトル５１を収容して上面１２の通孔１４からペットボトル５３の注ぎ口部５４側を突出させる際に舌状突出部１４ｂを介して円滑に施蓋することができるようにしてもよい。また、通孔１４は、加熱用外箱１２の上面１３に予め切り取り線を入れておき、使用時に該切り取り線に沿って切り取ることで形成することもできる。
【００２４】
また、加熱用外箱１２の周側４面における一側面（例えば正面）１５の適宜位置、例えば一側寄り部位（図示例では左側寄り部位）には、その下底面１５ａ位置を基準として順にレベルが高くなる少なくとも発熱剤添加水目盛部１６ａと調乳用湯量目盛部１６ｂとからなる図４（１）中に「Ａ」として示されている第１の備蓄用コップ４１のための計量用目盛１６が半割コップ形状図１８とともに付されている。
【００２５】
このため、第１の備蓄用コップ４１に入れるべき好適な発熱剤用添加水量と調乳用湯量とは、このように発熱剤用添加水量目盛部１６ａと調乳用湯量目盛部１６ｂとを付すことにより容易に把握することができるので、第１の備蓄用コップ４１内に入れた調整粉乳６１を７０℃を上回る温度の備蓄用保存水５２を用いて飲用ミルクへと調整することができることになる。
【００２６】
また、計量用目盛１６は、調整後の飲用ミルクの温度を適温まで人為的に低下させるのに必要な常温の備蓄用保存水５２の追加量を示す仕上ライン量目盛部１６ｃを含むものであってもよく、その場合、該仕上ライン量目盛部１６ｃを介することで調整後の飲用ミルクに常温の備蓄用保存水５２を適量加えることで乳幼児の飲用に適する温度にまで容易に低下させることができることになる。
【００２７】
さらに、加熱用外箱１１の一側面（例えば正面）１５の適宜位置、例えば他側寄り部位（図示例では右側寄り部位）には、ペットボトル５３内の備蓄用保存水５２の残量を教示すべく、その下底面１５ａ位置を基準として残量レベルを把握することができる残量目印１７が半割ペットボトル形状図１９とともに付されている。これを具体的に説明すれば、残量目印１７としては、例えば残量が５０ｍｌであることを教示する第１残量目印部１７ａ、残量が１００ｍｌであることを教示する第２残量目印部１７ｂ、残量が１２０ｍｌであることを教示する第３残量目印部１７ｃ、残量が１４０ｍｌであることを教示する第４残量目印部１７ｄ、残量が１６０ｍｌであることを教示する第５残量目印部１７ｅ、残量が１８０ｍｌであることを教示する第６残量目印部１７ｆ、および残量が２００ｍｌであることを教示する第７残量目印部１７ｇが各別に付されている。
【００２８】
一方、例えば耐熱性透明プラスチックシートなどを用いて袋状に形成されている耐熱加熱袋２２は、備蓄用保存水入りペットボトル５１を収容して加熱用外箱１２の通孔１４から注ぎ口部４４とともにその開口縁部２３をすぼめた状態での突出が可能な長さ、例えば４０ｃｍ程度の縦長さを有して形成されている。
【００２９】
さらに、外装入り発熱剤３２は、アル箔などの非透湿性材料からなる外装３３内に例えば２０ｇの加水型の発熱剤３４を封入して形成されており、その使用時に外装３３から発熱剤３４を取り出し、耐熱加熱袋２２の内底面２４上に外装３３なしの発熱剤３４として配置できるようになっている。なお、外装入り発熱剤３２としては、例えば「株式会社エネルダイン」製の２０ｇ入り「エディックスーパーヒート（登録商標）」などを好適に用いることができる。
【００３０】
次に、図４に基づいて調乳用加熱キット１１の使用手順を説明すれば、同図（１）中に「Ａ」として示されている第１の備蓄用コップ４１には、図１の加熱用外箱１２を脇に置き、その一側面（例えば正面）１５に付されている発熱剤用添加水量目盛部１６ａに位置合わせして計量しながら、備蓄用保存水入りペットボトル５１から例えば約５０ｍｌの備蓄用保存水５２を移し替える。
【００３１】
また、同図（２）中に「Ｂ」として示されている第２の備蓄用紙コップ４２には、同じ備蓄用保存水入りペットボトル５１から例えばその１杯分である約２７０ｍｌの備蓄用保存水５２を飲用ミルクの温度を冷ますのに用いるため予め取り置いておく。このとき、ペットボトル５３内の備蓄用保存水５２の残量は、約１８０ｍｌとなる。なお、冬季等においてペットボトル５３内の備蓄用保存水５２の温度が８〜１０℃と低い場合には、第２の備蓄用紙コップ４２の脇に加熱用外箱１２を置き、その一側面（例えば正面）１５に付されている残量目印１７において例えば残量が１２０ｍｌであることを教示する第３残量目印部１７ｃの位置にまでペットボトル５３内の備蓄用保存水５２を減らしておくことで、後述する同図（８）の計量作業を省略することができる。
【００３２】
このような準備作業を終えた後は、同図（３）に示すように外装３３から発熱剤３４を取り出して耐熱加熱袋２２内に入れ、しかる後に残量が１８０ｍｌとなった備蓄用保存水入りペットボトル５１も同図（４）に示すようにして入れる。この場合における耐熱加熱袋２２の内底面２４に対する発熱剤３４と備蓄用保存水入りペットボトル５１との配置関係は、図５に示すように内底面２４の中央部位に発熱剤３４を平らになるようにして入れ、さらにその中心部位上に備蓄用保存水入りペットボトル５１を載置することで行われる。
【００３３】
次いで、発熱剤３４と備蓄用保存水入りペットボトル５１とを入れた耐熱加熱袋２２は、同図（５）に示すように該耐熱加熱袋２２の開口縁部２３近傍をすぼめた状態にして加熱加熱用外箱１２内に収容した上で、同図（６）に示すように耐熱加熱袋２２の開口縁部２３を上面１３の通孔１４から引っ張り出すようにしながら該上面１３を用いて施蓋して図２に示す状態となるようにセットする。このとき、上面１３の通孔１４が真円部１４ａと舌状突出部１４ｂとで形成されている場合には、該舌状突出部１４ｂを利用してより容易に施蓋することができる。そして、施蓋後の上面１３の通孔１４からは、耐熱加熱袋２２の開口縁部２３が備蓄用保存水入りペットボトル５１の注ぎ口部５４側とともに外側に突出することになる。
【００３４】
図２の状態にセットした後は、耐熱加熱袋２２の開口縁部２３がすぼまった状態のもとで加熱用外箱１２の通孔１４からペットボトル５１の注ぎ口部５４側とともに突出されることになるので、開口縁部２３を漏斗状に拡開させた上で、第１の備蓄用コップ４１に発熱剤添加水として移し替えられている約５０ｍｌの備蓄用保存水５２の全量を同図（６）に示すように耐熱加熱袋２２内に注ぎ込む。なお、ペットボトル５３の蓋部５５は、備蓄用保存水５２が温度上昇に伴い膨張する恐れがあるので、事前に軽く閉じる程度に緩めておく。
【００３５】
発熱剤３４は、備蓄用保存水５２が発熱剤添加水として耐熱加熱袋２２内に注ぎ込まれることで反応を開始し、同図（７）に示すようにペットボトル５３内の備蓄用保存水５２を所定時間をかけて７０℃以上、例えば微生物による食中毒等のリスクを確実に抑え得るように菌を死滅させることができる７５〜９０℃程度の湯温になるまで加熱する。なお、加熱終了後は、ペットボトル５３の蓋部５５をきっちり締めた上で、耐熱加熱袋２２の開放縁部２３を図４（８）に示されているように加熱用外箱１２側に折り返した後に、加熱用外箱１２を逆さにして耐熱加熱袋２２内に発熱剤添加水として残っている加熱状態にある水備蓄用保存水５２を捨てるという調乳前準備作業を行っておく。
【００３６】
上記した調乳前準備作業を経た後は、同図（８）に示すようにペットボトル５３の蓋部５５をとった上で、依然として７０℃以上の温度を保っている例えば１２０ｍｌ前後の備蓄用保存水５２を加熱用外箱１２に付されている調乳用湯量目盛部１６ｂを目安にして計量しながら調乳用のお湯として空になっている第１の備蓄用コップ４１内に移し替える。
【００３７】
しかる後、第１の備蓄用コップ４１内には、例えば２００ｍｌ用の調整粉乳６１を袋から出して入れ、同図（９）に示すようにマドラー７１を用いて例えば２分間以上かき混ぜて飲用ミルクとして調乳する。
【００３８】
最後は、同図（１０）に示すように第２の備蓄用コップ４２に既に取り置いてある常温の備蓄用保存水５２を第１の備蓄用コップ４１内の飲用ミルクに加えてマドラー７１でかき回しながら湯冷ましを行った上で、適温の乳幼児用ミルクとして同図（１１）に示すようにして提供することができる。なお、この場合、第１の備蓄用コップ４１内の飲用ミルクが１２０ｍｌ（６０℃）とし、第２の備蓄用コップ４２内の備蓄用保存水５２が８０ｍｌ（２０℃）とすれば、両者を混ぜた時点で２００ｍｌ（４４℃）となることから、４０℃程度にまで冷ますことで乳幼児に対し授乳することができることになる。
【００３９】
このため、本考案によれば、調乳用加熱キット１１の全体は、その不使用時に平板状のコンパクト化された形態としておくことができるので、持ち運ぶ際や備蓄する際の省スペース化を実現することができる。
【００４０】
しかも、加熱用外箱１２の一側面１５（例えば正面）の一側寄り部位には、少なくとも発熱剤用添加水量目盛部１６ａと調乳用湯量目盛部１６ｂとからなる備蓄用コップ４１，４２のための計量用目盛１６が付されているので、これらの発熱剤用添加水量目盛部１６ａと調乳用湯量目盛部１６ｂとを介して把握される発熱剤用添加水量と調乳用湯量とに基づいて、備蓄用保存水入りペットボトル５１内の備蓄用保存水５２を７０℃を上回る温度となるように加熱した上でその適量を第１の備蓄用コップ４１内に入れて別途用意される乳幼児用の調整粉乳６１を溶かし込むことができる。
【００４１】
このため、乳児（１２ヶ月齢以下）の微生物による食中毒等のリスクを最小限に抑えべくＷＨＯ（世界保健機関）とＦＡＯ（国連食糧農業機関）とが定めた「乳児用調整粉乳の安全な調乳、保存及び取り扱いに関するガイドライン」に沿った調乳は、非常時においてもこれを満たしながら衛生上安全な乳幼児用の飲用ミルクとして誰もが簡単に行うことができる。
【００４２】
また、計量用目盛１６に常温備蓄用保存水の追加量を示す仕上ライン量目盛部１６ｃも含まれている場合には、該仕上ライン量目盛部１６ｃを介して適量の常温備蓄用保存水を計量して加えることで、調乳後の飲用ミルクを飲用に適する温度にまで下げて乳幼児に安心して飲用させることができる。
【００４３】
さらに、加熱用外箱１２に備蓄用保存水入りペットボトル５１における備蓄用保存水５２の残量を示す残量目印１７が例えば第１残量目印部１７ａ〜第７残量目印部１７ｇとして付されている場合には、常に蓄用保存水入りペットボトル５１内の備蓄用保存水５２の残量を把握しながら、次ぎの必要場面に安心して備えることができる。
【００４４】
さらにまた、通孔１４が真円部１４ａのみならず、さらに一側面１５方向へと偏倚させて連設された舌状突出部１４ｂをも備えている場合には、該舌状突出部１４ｂを上面１３を施蓋する際の逃げスペースとして利用することにより加熱用外箱１２内の備蓄用保存水入りペットボトル５１におけるペットボトル５３の注ぎ口部５４側を耐熱加熱袋２２の開口縁部２３ともども円滑に突出させることができる。
【００４５】
以上は、本考案を図示例に基づいて説明したものであり、その具体的な構造はこれに限定されるものではない。すなわち、図示例においては、避難所等に備蓄されている目盛りが付されていない備蓄用コップ４１，４２を補助用品として用いることを前提としているが、状況によっては、備蓄用コップ４１，４２に代えて市販の哺乳瓶や目盛り付きの紙コップなどのような目盛り付き容器を用いることも想定され、その場合、本考案に係る調乳用加熱キットは、前記目盛り付き容器を含めて構成することもできる。また、計量用目盛１６と残量目印１７とは、図示例のように加熱用外箱１２における正面側ではなく、それ以外の適宜の一側面に付しておくこともできる。また、調乳用加熱キット１１を構成している加熱用外箱１２と耐熱加熱袋２２と外装入り発熱剤３２との数は、所望に応じて適宜変え図示しない収納袋内に収容して提供することができる。
【符号の説明】
【００４６】
１１  調乳用加熱キット
１２  加熱用外箱
１３  上面
１４  通孔
１４ａ  真円部
１４ｂ  舌状突出部
１５  一側面（例えば正面）
１５ａ  下底面
１６  計量用目盛
１６ａ  発熱剤用添加水量目盛部
１６ｂ  調乳用湯量目盛部
１６ｃ  仕上ライン量目盛部
１７  残量目印
１７ａ  第１残量目印部
１７ｂ  第２残量目印部
１７ｃ  第３残量目印部
１７ｄ  第４残量目印部
１７ｅ  第５残量目印部
１７ｆ  第６残量目印部
１７ｇ  第７残量目印部
１８  半割コップ形状図
１９  半割ペットボトル形状図
２２  耐熱加熱袋
２３  開口縁部
２４  内底面
３２  外装入り発熱剤
３３  外装
３４  発熱剤
４１  第１の備蓄用コップ
４２  第２の備蓄用コップ
５１  備蓄用保存水入りペットボトル
５２  備蓄用保存水
５３  ペットボトル
５４  注ぎ口部
５５  蓋部
６１  調整粉乳
７１  マドラー
【図１】
0003190022.tif 000003
【図２】
0003190022.tif 000004
【図３】
0003190022.tif 000005
【図５】
0003190022.tif 000006
【図４】
0003190022.tif 000007